(57)【要約】      （修正有）【課題】  着用するだけで皮膚細胞を活性化させ、皮膚の状態を維持又は改善することができる皮膚細胞活性化繊維及びこれを用いてなる皮膚細胞活性化衣料を提供する。【解決手段】皮膚細胞活性化作用を有する特定の植物抽出油を、メリヤス漂白後生地に付着させ５日間着用したところ、角質水分保持率が向上し、皮膚細胞活性化に有効であった。皮膚細胞活性化物質を付着した皮膚細胞活性化衣類として、肌着、ストッキング、手袋、フェイスマスク又はマフラーを指定できる。【選択図】    なし【特許請求の範囲】
【請求項１】
皮膚細胞活性化物質が付着していることを特徴とする皮膚細胞活性化繊維。
【請求項２】
皮膚細胞活性化物質は、ホホバ油、マカデミアンナッツ油、ローズヒップ油、オリーブ油、精製アボガド油、ブラックカラント油、グレープシード油、ボリジ油、月見草油、コメ油、ティーツリーオイル、ネロリオイル、ラベンダーオイル、ユーカリオイル、パチュリーオイル、フランキンセンスオイル、キョウニン油及び大豆発酵エキスからなる群より選択される少なくとも１種の植物抽出油であることを特徴とする請求項１記載の皮膚細胞活性化繊維。
【請求項３】
皮膚細胞活性化物質は、プロポリスであることを特徴とする請求項１記載の皮膚細胞活性化繊維。
【請求項４】
皮膚細胞活性化物質は、ビタミンＥ、γ−リノレン酸、Ｎ−アセチルグルタミンイソステアレート、Ｎ−アセチルグルタミンステアレート、ビタミンK及びリノール酸からなる群より選択される少なくとも１種であることを特徴とする請求項１記載の皮膚細胞活性化繊維。
【請求項５】
請求項１、２、３又は４記載の皮膚細胞活性化繊維を用いてなることを特徴とする皮膚細胞活性化衣料。
【請求項６】
肌着、ストッキング、手袋、フェイスマスク又はマフラーであることを特徴とする請求項５記載の皮膚細胞活性化衣料。
【発明の詳細な説明】
【技術分野】
【０００１】
着用するだけで皮膚細胞を活性化させ、皮膚の状態を維持又は改善することができる皮膚細胞活性化繊維及びこれを用いてなる皮膚細胞活性化衣料に関する。
【背景技術】
【０００２】
近年、天然物から抽出した成分の中に皮膚細胞を活性化して、皮膚の状態を維持したり改善したりできる機能があるものが発見されている。なかでも、植物由来の油成分中にこのような効能を有するものが多く含まれている。
現在、化粧品分野においては、これらの皮膚活性化物質を配合した製品が種々研究され、上市されている。例えば、特許文献１には、ドナリエラ藻体からなる化粧品用配合剤が開示されている。
【０００３】
皮膚は顔や手足のみならず全身を覆うものであり、全身の皮膚の状態を良好に保つことは、健康や美容の面からも極めて重要である。しかし、化粧品を用いて全身の皮膚のケアを行うことは、不可能ではないにしても極めて煩雑かつ高価である。そこで、日常生活のなか又はスポーツ時に、特に手間をかけることなく全身の皮膚の状態を維持又は改善できる方法が求められていた。
【０００４】
【特許文献１】特開２００３−４８８１１号公報
【発明の開示】
【発明が解決しようとする課題】
【０００５】
本発明は、上記現状に鑑み、着用するだけで皮膚細胞を活性化させ、皮膚の状態を維持又は改善することができる皮膚細胞活性化繊維及びこれを用いてなる皮膚細胞活性化衣料を提供することを目的とする。
【課題を解決するための手段】
【０００６】
本発明は、皮膚細胞活性化物質が付着している皮膚細胞活性化繊維である。
以下に本発明を詳述する。
【０００７】
本発明の皮膚細胞活性化繊維には皮膚細胞活性化物質が付着している。
本明細書において皮膚細胞活性化物質とは、皮膚を構成する線維芽細胞、角化細胞等の細胞を活性化させ、皮膚の有するバリア機能、保湿機能等の諸機能を維持又は改善し、更には小じわ、たるみ等の皮膚老化を予防できる物質を意味する。皮膚細胞活性化物質であることは、例えば、以下の方法により判別することができる。
【０００８】
即ち、線維芽細胞又は角化細胞を、被検物質を含有する培養液中で培養し、被検物質を含有しない培養液中で培養した場合の細胞数を１００としたときの、被検物質を含有する培養液中で培養した場合の細胞数の比を求め、これを細胞増殖率（％）としたときに、細胞増殖率が１１０％を超えるもの、好ましくは１２０％を超えるものを皮膚細胞活性化物質と判定することができる。
【０００９】
なお、細胞数の測定には、細胞をトリプシン等で回収して直接計数する方法の他、ＭＴＴ（３−［４，５−ジメチルチアゾール−２−イル］−２，５−ジフェニルテトラゾリウムブロミド）を用いて生細胞のみを染色する方法やＤＮＡアッセイ法等の公知の方法を用いることができる。
【００１０】
上記皮膚細胞活性化物質としては、例えば、ホホバ油、マカデミアンナッツ油、ローズヒップ油、オリーブ油、精製アボガド油、ブラックカラント油、グレープシード油、ボリジ油、月見草油、コメ油、ティーツリーオイル、ネロリオイル、ラベンダーオイル、ユーカリオイル、パチュリーオイル、フランキンセンスオイル、キョウニン油及び大豆発酵エキスからなる群より選択される少なくとも１種の植物抽出油が好適である。これらの植物抽出油は、種々の油成分の混合物であり、含有する油成分の相互作用により、各成分単体に比べても高い皮膚細胞活性効果を示す。例えば、ローズヒップ油は、リノール酸、リノレン酸、オレイン酸を主成分とし、これにパルミチン酸、ステアリン酸、ラウリン酸、ミリスチン酸、パルミトレイン酸等が微量成分として含まれ、更に種々の極微量成分が含まれているが、これらの成分の相互作用により全体として高い皮膚細胞活性効果を示す。
これらの植物抽出油のなかでも、ローズヒップ油、ブラックカラント油、グレープシード油、ボリジ油、月見草油は、極めて高い細胞増殖活性を示すことからより好適である。これらの植物抽出油は単独で用いてもよいし、２種以上を併用してもよい。
【００１１】
上記皮膚細胞活性化物質としては、例えば、プロポリスも好適である。上記プロポリスは、ハチが自然木のヤニや木の汁から採ってくるとも、ハチ自身が花粉を消化するときに作り出す二次的産物ともいわれているものであり、細胞増殖活性の他、抗菌作用も有する。上記プロポリスも、樹脂、蜜蝋、精油、花粉を主成分とし、これに脂肪酸等の有機酸等の微量成分が含まれるが、これらの成分の相互作用により全体として高い皮膚細胞活性効果を示す。
【００１２】
上記皮膚細胞活性化物質としては、例えば、ビタミンＥ、γ−リノレン酸、Ｎ−アセチルグルタミンイソステアレート、Ｎ−アセチルグルタミンステアレート、ビタミンＫ及びリノール酸からなる群より選択される少なくとも１種も好適である。
【００１３】
上記皮膚細胞活性化物質を繊維に付着させる方法としては特に限定されず、上記皮膚細胞活性化物質を乳化剤を用いて乳化分散させた処理液中に繊維又は繊維製品を浸漬又はパディングする方法；上記皮膚細胞活性化物質をマイクロカプセル化して分散させた処理液中に繊維又は繊維製品を浸漬又はパディングする方法等が挙げられる。
【００１４】
上記皮膚細胞活性化物質を乳化分散させる場合に用いる乳化剤としては、上記皮膚細胞活性化物質を失活させないものであれば特に限定されず、従来公知の乳化剤を用いることができる。
【００１５】
上記皮膚細胞活性化物質をマイクロカプセル化する方法としては特に限定されず、例えば、上記皮膚細胞活性化物質とジイソシアネート化合物とを水中に乳化させ、多価アルコールを添加した後、加熱攪拌してウレタン系樹脂からなる壁膜を形成させることによりマイクロカプセル化する方法；上記皮膚細胞活性化物質と尿素又はメラミンとを水中に乳化させ、ホルマリン水溶液を添加した後、加熱攪拌して尿素−ホルマリン系樹脂又はメラミン−ホルマリン系樹脂からなる壁膜を形成させることによりマイクロカプセル化する方法等が挙げられる。なかでも、有害なホルムアルデヒドを発生することがないことから、ウレタン系樹脂を壁膜とする方法が好適である。
【００１６】
上記皮膚細胞活性化物質の繊維への付着量としては特に限定されず、繊維の種類や上記皮膚細胞活性化物質の細胞活性効果、付着後の繊維の風合い等を考慮して最適の範囲を求めることができる。
【００１７】
本発明の皮膚細胞活性化繊維を用いてなる皮膚細胞活性化衣料もまた、本発明の１つである。
本発明の皮膚細胞活性化衣料は、着用するだけで皮膚細胞を活性化させ、皮膚の状態を維持又は改善することができる。
本発明の皮膚細胞活性化衣料としては特に限定されないが、肌着、ストッキング、手袋、フェイスマスク、マフラー等である場合には皮膚に直接接することから特に優れた効果が得られる。
【発明の効果】
【００１８】
本発明によれば、着用するだけで皮膚細胞を活性化させ、皮膚の状態を維持又は改善することができる皮膚細胞活性化繊維及びこれを用いてなる皮膚細胞活性化衣料を提供できる。
【発明を実施するための最良の形態】
【００１９】
以下に実施例を掲げて本発明を更に詳しく説明するが、本発明はこれら実施例のみに限定されるものではない。
【００２０】
（皮膚細胞増殖作用の評価）
ヒト由来線維芽細胞（三光純薬社製、Ｃｒｙｏ  ＮＨＤＦ−Ｎｅｏ）をダルベッコ改変イーグル培地（ＤＭＥ、ギブコ社製、Ｄ−ＭＥＭ粉末培地）にウシ胎児血清（ＦＣＳ、三光純薬社製、ＣＴＴ−Ｆｅｔａｌ  Ｂｏｖｉｎｅ  Ｓｅｒｕｍ）を１０重量％添加した培養液（以下、ＤＭＥ＋１０％ＦＢＳ培養液ともいう）に懸濁し、５×１０５ｃｅｌｌｓ／ウェルの播種濃度（初期細胞数）になるように６ウェル細胞培養プレート（住友ベークライト社製）の各ウェルに播種した。播種後、３７℃、５％ＣＯ2の条件下で２４時間培養した。
【００２１】
その後、培養液を試験培養液３ｍＬに交換し、３７℃、５％ＣＯ2の条件下で更に２日間培養を続けた。
なお、試験培養液としては、ローズヒップ油、精製アボガド油、ブラックカラント油、グレープシード油、ボリジ油、月見草油、ビタミンＥを各々１００ｐｐｍの濃度になるようにＤＭＥ＋５％ＦＢＳ培養液に懸濁させたものを用いた。このとき懸濁剤としてエタノールを１％加えた。また、対照培養液としてはＤＭＥ＋５％ＦＢＳ培養液を用いた。
【００２２】
培養終了後、各ウェル上の生細胞をＭＴＴ（３−［４，５−ジメチルチアゾール−２−イル］−２，５−ジフェニルテトラゾリウムブロミド）を用いて染色した。次いで、還元された色素を抽出して、抽出された還元色素の吸光度（５７０ｎｍ）を測定し、得られた吸光度から細胞数を算出した。
対照培養液を用いて培養した後の生細胞数を１００として、これに対する各試験培養液を用いて培養した後の生細胞数の比を求め、これを細胞増殖率（％）とした。
各試験培養液を用いた場合の細胞増殖率（％）を表１に示した。
【００２３】
【表１】
2005105478.tif 000002
【００２４】
（実施例１）
乳化剤としてエタノールを用いて、ローズヒップ油を１％の濃度で水中に乳化分散させて処理液を調製した。
得られた処理液に、綿１００％メリヤス漂白後生地を０．５秒間接触させた後、直ちにパッダーを用いて絞り率１００％で絞った。その後、１００℃、５分間乾燥して、ローズヒップ油が付着した生地を得た。
【００２５】
皮膚に異常のない健常者５名を被験者として、各々の左前腕に筒状にローズヒップ油が付着した生地を、右前腕に無処理の綿１００％メリヤス漂白後生地を５日間着用した。
着用前、着用３日後及び着用５日後に両前腕の角質水分量をコルネオメーター（インテグラル社製、ＣＭ８２０ＰＣ）を用いて２０℃、湿度５０％の条件下で測定し、着用前の値を１００として、着用３日後及び着用５日後の比率を求め、これを角質水分保持率（％）とした。
結果を表２に示した。
【００２６】
【表２】
2005105478.tif 000003
【産業上の利用可能性】
【００２７】
本発明によれば、着用するだけで皮膚細胞を活性化させ、皮膚の状態を維持又は改善することができる皮膚細胞活性化繊維及びこれを用いてなる皮膚細胞活性化衣料を提供できる。